(57)【要約】【課題】分離不良や再転写を防ぎ、安定した画像品質と用紙搬送が可能な電子写真印刷装置を提供する。【解決手段】転写帯電器と分離帯電器を備えた静電転写方式の電子写真印刷装置において、転写帯電器の下流側に絶縁体の遮蔽板を配し、転写放電が感光体の最下点に達することを防止する。【選択図】  図５
2010008730.tif 000002
【特許請求の範囲】
【請求項１】
転写帯電器と分離帯電器を有する転写分離装置を備えた静電転写方式の電子写真印刷装置において、前記転写帯電器の下流側に絶縁体の遮蔽板を備えたことを特徴とする電子写真印刷装置。
【請求項２】
請求項１記載の電子写真印刷装置において、前記遮蔽板が用紙の種類に応じて高さが移動可能であることを特徴とする電子写真印刷装置。
【発明の詳細な説明】
【技術分野】
【０００１】
本発明は、静電転写方式の電子写真印刷装置における転写分離装置に関するものである。
【背景技術】
【０００２】
図１に静電転写方式による電子写真印刷装置の概略構成を示す。
【０００３】
電子写真式印刷装置１は、均一に帯電された感光体２上に静電潜像を形成し、現像装置３によりトナーを付着することにより静電潜像を顕像化する。感光体２上のトナー像は転写分離装置の転写帯電器４により用紙Ｐ上に転写された後、用紙Ｐは分離帯電器５により交流コロナで除電して静電吸着力を低減（中和）して分離される。さらに、定着部６によって加熱加圧されることによりトナー像が用紙Ｐに定着され排紙する。上記プロセスを繰り返し、連続的に印刷を行う。
【０００４】
図２に転写分離装置の従来の一実施例を示す。一般的な静電転写方式の電子写真印刷装置の場合、転写帯電器４の放電領域に入る前に、用紙Ｐを感光体２に近接するように誘導する。そして、用紙Ｐの背面からトナーと逆極性のコロナチャージを転写コロトロン４ａで与えることにより、用紙Ｐが帯電して感光体２に密着し、同時にトナーがクーロン力により用紙Ｐに転移する。
【０００５】
次に、感光体２に静電吸着した用紙Ｐは分離コロトロン５ａの交流コロナでＡＣ除電され、用紙Ｐの静電吸着力を低減し、用紙Ｐの剛性と自重を利用して分離する。そのため、分離帯電器５の分離コロトロン５ａは感光体２の最下点Ａに配置し、感光体２の最下点Ａにおいて分離放電することが、用紙Ｐの剛性と自重を利用する上で最も理想的であるが、転写放電域Ｃｔでの用紙Ｐと感光体２の密着性の確保や、搬送経路の緩和を両立する観点から、通常、転写コロトロン４ａと分離コロトロン５ａは感光体２の最下点Ａを境に両側に配置される場合が多い。
【０００６】
上記のような構成の場合、感光体２の最下点Ａは転写放電域Ｃｔと分離放電域Ｃｓの双方に跨る構成になるから、放電状態が不安定となる。そのため、ＡＣ除電が弱いと薄い用紙ほど静電吸着力を低減しにくくなり分離不良が発生し、逆に、ＡＣ除電が強すぎると、除電過剰による画像抜けの再転写（転写不良）が発生しやすくなる。これらの場合、分離コロトロン５ａの交流コロナ電圧を適切に調整する必要があるが、バランスよく設定することが非常に困難となる。
【０００７】
また、厚みのある用紙の場合、自重・剛性が高いために感光体２の最下点Ａでは、用紙Ｐの通過位置が下がる場合がある。同時に感光体２との密着性も悪くなり転写性能が下がるため、転写放電域Ｃｔを広くすることが求められるが、その場合、分離放電域Ｃｓと、転写放電域Ｃｔは薄い用紙と同じ領域では無いため、同様に分離コロトロン５ａの交流コロナの電圧を用紙Ｐの坪量に応じてバランスよく設定しなければならないといった課題があった。
【０００８】
このような分離不良または再転写の問題を解決する目的で、例えば特許文献１では、分離帯電器のシールド開口部を絞る構成が提案されている。この場合、感光体の最下点に対する分離放電域をシールドで閉じてしまうため、自重・剛性による分離性は低下し、非効率となってしまう。また、様々な坪量の用紙を使用する場合、自重・剛性の変化に追従した転写放電域・分離放電域を維持できないといった課題があった。
【０００９】
【特許文献１】特開平５−１１９６３４号公報
【発明の開示】
【発明が解決しようとする課題】
【００１０】
本発明が解決しようとする問題点は、転写帯電器と分離帯電器を備えた静電転写方式の電子写真印刷装置において、感光体の最下点に転写放電と分離放電の双方が達することによって分離不良や再転写の問題が発生する点である。また、用紙の紙種・坪量が様々であり、用紙の走行位置によって最適な転写放電域と分離放電域が変化する点である。
【００１１】
本発明の目的は、分離不良や再転写を防ぎ、安定した画像品質と用紙搬送が可能な電子写真印刷装置を提供することにある。
【課題を解決するための手段】
【００１２】
前記目的を達成するため本発明の第１の手段は、転写帯電器と分離帯電器を有する転写分離装置を備えた静電転写方式の電子写真印刷装置において、前記転写帯電器の下流側に絶縁体の遮蔽板を備えたことを特徴とするものである。
【００１３】
本発明の第２の手段は前記第１の手段において、前記遮蔽板が紙厚に応じて高さが移動可能であることを特徴とするものである。
【発明の効果】
【００１４】
本発明によれば、転写帯電器の下流側に絶縁体の遮蔽板を備え、感光体の最下点に転写放電域が達することを防止することにより、分離不良や再転写を防ぎ、安定した画像品質と用紙搬送が可能となる。また、転写放電域を用紙の紙種・坪量に応じて調整することが可能となる。
【発明を実施するための最良の形態】
【００１５】
図３、図４は本発明の一実施例を示す転写分離装置の断面図と概略斜視図である。感光体２に対向して配設された転写分離装置は、転写帯電器４と分離帯電器５が一体に装備されており、転写コロトロン４ａ及び分離コロトロン５ａは感光体２の最下点Ａを境に両側に配置されている。そして本体を介し接地された導電性のシールド７が、転写コロトロン４ａ及び分離コロトロン５ａを囲むように一体形状を成し配置されている。
【００１６】
転写帯電器４の内部には両側を保持部１０で支持された半円状の遮蔽板８が備えられており、遮蔽板８の水平位置より上部の表面には絶縁シール８ａが貼り付けられ、板バネ（図示せず）により摺動してシールド７に常時短絡し接地している。駆動側に備えられた保持部１０ｄには歯車が設けられており、ウォームギヤ１１を備えたＤＣモータ１２を駆動することにより、保持部１０が回転して遮蔽板８の高さが移動する構成となっている。
【００１７】
印刷動作を開始すると、用紙Ｐは矢印方向に搬送され転写帯電器４により放電し、用紙Ｐ上に感光体２上のトナー像が用紙Ｐに転写された後、用紙Ｐは分離帯電器５により交流コロナでＡＣ除電される。その際、厚みの薄い用紙の場合、転写放電は遮蔽板８の絶縁シール８ａにより、感光体２の最下点Ａより上流の点Ｘ１で転写放電域Ｃｔが制限されるため、下流側には到達せず、一方、点Ｘ１より下流側には分離帯電器５による交流コロナが到達する。そのため、用紙Ｐが点Ｘ１を通過した後は徐々に交流コロナで用紙Ｐの静電吸着力が減少し、速やかに感光体２から分離される。
【００１８】
次に厚みのある用紙の場合、図５のように用紙Ｐの通過位置が下がるため、用紙Ｐは点Ｘ２を通過する。その場合、ＤＣモータを駆動することにより保持部１０を回転させ、遮蔽板８の高さを変えることで、転写放電域Ｃｔを点Ｘ２に移動する。こうして様々な紙種・坪量の用紙に追従した転写放電域Ｃｔを構成し、安定した画像品質と用紙搬送を実現することが可能となる。
【図面の簡単な説明】
【００１９】
【図１】静電転写方式の電子写真印刷装置の概略構成図である。
【図２】従来の転写分離装置の断面図である。
【図３】本発明の一実施例を示す転写分離装置の断面図である。
【図４】その転写分離装置の概略斜視図である。
【図５】その転写分離装置の断面図である。
【符号の説明】
【００２０】
１は電子写真印刷装置、２は感光体、３は現像装置、４は転写帯電器、４ａは転写コロトロン、５は分離帯電器、５ａは分離コロトロン、６は定着部、７はシールド、８は遮蔽板、８ａは絶縁シール、１０ｃは保持部、１０ｄは保持部（駆動側）、１１はウォームギヤ、１２はＤＣモータ、Ｐは用紙、Ｘ１は薄紙の通過点、Ｘ２は厚紙の通過点、Ａは感光体の最下点、Ｃｔは転写放電域、Ｃｓは分離放電域である。
【図１】
2010008730.tif 000003
【図２】
2010008730.tif 000004
【図３】
2010008730.tif 000005
【図４】
2010008730.tif 000006
【図５】
2010008730.tif 000007